(57)【要約】      （修正有）【課題】電源を用いることなく自動的にスラットを駆動することができ、かつ製造コストの低いブラインド装置の自動駆動装置を提供する。【解決手段】連動体１０と、熱を受けて所定の温度に至ると形状が変化する材質からなり、連動体の一端に接続する形状記憶弾性体２０と、太陽光を集光する材質からなり、形状記憶弾性体に対応する位置に設けられる集光体３０と、連動体の他端に接続する駆動体４０と、駆動体に連動し、かつブランインド装置のジョイントコード９２に連動するように設ける回転軸５０と、によって構成する。【選択図】図３
0003193275.tif 000002
【実用新案登録請求の範囲】
【請求項１】
連動体と、
熱を受けて所定の温度に至ると形状が変化する材質によってなり、該連動体の一端に接続する形状記憶弾性体と、
太陽光を集光する材質によってなり、該形状記憶弾性体に対応する位置に設けられる集光体と、
該連動体の他端に接続する駆動体と、
該駆動体に連動し、かつブランインド装置のジョイントコードに連動するように設ける回転軸と、を具えてなることを特徴とするブラインド装置の自動駆動装置。
【請求項２】
前記連動体が支持フレームに擺動自在に軸支されることを特徴とする請求項１に記載のブラインド装置の自動駆動装置。
【請求項３】
前記支持フレームが固定部材に接続し、かつ該固定部材が建物の窓枠に設けたガラス板に設けられることを特徴とする請求項２に記載のブラインド装置の自動駆動装置。
【請求項４】
前記固定部材が両面テープによって該ガラス板に貼着されることを特徴とする請求項３に記載のブラインド装置の自動駆動装置。
【請求項５】
前記形状記憶弾性体が、形状記憶合金によってなるばねであることを特徴とする請求項１に記載のブラインド装置の自動駆動装置。
【請求項６】
前記駆動体が可撓性を有するラックであって、かつ該駆動体に歯合する歯合盤を設け、該回転軸は一端に突縁状部を一体に形成し、他端には外周面に複数の歯条が形成された挿入部を一体に形成してなり、該回転軸の該挿入部を該歯合盤に挿脱自在に挿設することを特徴とする請求項１に記載のブラインド装置の自動駆動装置。
【請求項７】
前記駆動体の一端が可紐状体を介して該連動体の他端に連接することを特徴とする請求項１に記載のブラインド装置の自動駆動装置。
【請求項８】
前記駆動体の他端に、該駆動体を上下に移動させる力を付与する錘体を設けることを特徴とする求項１に記載のブラインド装置の自動駆動装置。
【請求項９】
前記回転軸が、該ブラインド装置上に設けられる固定座によって支持されることを特徴とする請求項１に記載のブラインド装置の自動駆動装置。
【考案の詳細な説明】
【技術分野】
【０００１】
この考案は、建物の窓において日除け、目隠しなどの目的で設けられるブランド装置に関し、特にブラインド装置のスラットを自動的に駆動するブラインド装置の自動駆動装置に関する。
【背景技術】
【０００２】
人々の生活空間である建物の室内において、ある種の行為はさほど強烈な陽光を必要としない。そこで、建物の窓にブラインド装置などを設ける。ブラインド装置は陽光が建物の中に差し込むことを防ぐことができる。陽光の照射を遮るということは、断熱効果を有することになり、延いては室内の温度を調整し、室温を下げる。このため、クーラーを利用する回数も減少し、電気代の節約に繋がる。言い換えれば、所謂省エネの効果を有する。
【０００３】
目下、市場には電動タイプの各種ブランドが見られる。これら電動ブラインドは、例えば遮蔽材の昇降動作や角度を制御する機能を具える。但し、電動であるが故にエネルギーを浪費することは否めない。即ち環境保全の観念にそぐわない。また、高パワーのサーボモータを内設しているものもあり、全体的に価格が高い。特にスマートタイプの自動制御機能を具えた電動ブランド装置は主に欧米製造業者が供給しているが、係るシステムは非常に高額であって、一般消費者がたやすく購買できるものではない。
【０００４】
また、太陽エネルギーを利用して電気エネルギーを得て、自動制御を行うタイプの電動ブラインド装置も見られる。太陽エネルギーを利用することは、電気代の節約にはなるものの、但し、往々にして装置の構造が複雑になり、このため高価格になるという欠点を有する。
【０００５】
したがって、自動制御機能を具える従来のブランド装置は、いまだに理想的とは言えず、電源を完全に用いることなく、簡易な構造で、製造コストの低い電動ブラインド装置の開発が望まれている。
【考案の概要】
【考案が解決しようとする課題】
【０００６】
この考案は、電源を用いることなく自動的にスラットを駆動することができ、かつ製造コストの低いブラインド装置の自動駆動装置を提供することを課題とする。
【課題を解決するための手段】
【０００７】
そこで、従来の電動ブラインド装置に見られる欠点に鑑み鋭意研究を重ねた結果、連動体と、熱を受けて所定の温度に至ると形状が変化する材質によってなり、該連動体の一端に接続する形状記憶弾性体と、太陽光を集光する材質によってなり、該形状記憶弾性体に対応する位置に設けられる集光体と、該連動体の他端に接続する駆動体と、該駆動体に連動し、かつブランインド装置のジョイントコードに連動するように設ける回転軸と、によってなり、ブラインド装置に取り付けて使用するブラインド装置の自動駆動装置によって課題を解決できる点に着眼し、係る知見に基づいて本考案を完成させた。
【０００８】
以下この考案について説明する。請求項１に記載するブラインド装置の自動駆動装置は、連動体と、熱を受けて所定の温度に至ると形状が変化する材質によってなり、該連動体の一端に接続する形状記憶弾性体と、太陽光を集光する材質によってなり、該形状記憶弾性体に対応する位置に設けられる集光体と、該連動体の他端に接続する駆動体と、該駆動体に連動し、かつブランインド装置のジョイントコードに連動するように設ける回転軸と、を具えてなる。
【０００９】
請求項２に記載するブラインド装置の自動駆動装置は、請求項１における連動体が支持フレームに擺動自在に軸支される。
【００１０】
請求項３に記載するブラインド装置の自動駆動装置は、請求項２における支持フレームが固定部材に接続し、かつ該固定部材が建物の窓枠に設けたガラス板に設けられる。
【００１１】
請求項４に記載するブラインド装置の自動駆動装置は、請求項３における
固定部材が両面テープによって該ガラス板に貼着される。
【００１２】
請求項５に記載するブラインド装置の自動駆動装置は、請求項１における形状記憶弾性体が、形状記憶合金によってなるばねである。
【００１３】
請求項６に記載するブラインド装置の自動駆動装置は、請求項１における駆動体が可撓性を有するラックであって、かつ該駆動体に歯合する歯合盤を設け、該回転軸は一端に突縁状部を一体に形成し、他端には外周面に複数の歯条が形成された挿入部を一体に形成してなり、該回転軸の該挿入部を該歯合盤に挿脱自在に挿設する。
【００１４】
請求項７に記載するブラインド装置の自動駆動装置は、請求項１における駆動体の一端が可紐状体を介して該連動体の他端に連接する。
【００１５】
請求項８に記載するブラインド装置の自動駆動装置は、請求項１における駆動体の他端に、該駆動体を上下に移動させる力を付与する錘体を設ける。
【００１６】
請求項９に記載するブラインド装置の自動駆動装置は、請求項１における回転軸が、該ブラインド装置上に設けられる固定座によって支持される。
【考案の効果】
【００１７】
この考案によるブラインド装置の自動駆動装置は、従来の構造のブラインド装置に応用することができ、かつ従来の構造を変更することがなく、構造が簡易であることから、製造コストを低減させることができ、商品としての市場における競争能力を高めることができるとともに、従来の電動タイプのブランド装置に比して構造が簡易であることは、故障が少なく、使用寿命を延長させるという利点を具える。
【００１８】
また、電源を使用せずに自動的にスラットを駆動することができるため、ランニングコストを必要とせず、さらには、自動駆動、手動による駆動の切換えを簡易な操作で行なうことができ、使用上の利便性が得られる。
【図面の簡単な説明】
【００１９】
【図１】この考案によるブラインド装置の自動駆動装置の構造を示した説明図である。
【図２】図１に開示するブラインド装置の自動駆動装置の構造を示した分解図である。
【図３】図１に開示するブラインド装置の自動駆動装置の使用態様を示した説明図である。
【図４】図１に開示するブラインド装置の自動駆動装置の使用態様を示した局部拡大説明図である。
【図５】図１に開示するブラインド装置の自動駆動装置の構造を示した断面図である。
【図６】側面から見たラインド装置の自動駆動装置の構造を示した説明図である。
【図７】この考案によるブラインド装置の自動駆動装置の構造を示した他の説明図である。
【図８】この考案によるブラインド装置の自動駆動装置の使用態様を示した他の説明図である。
【図９】この考案によるブラインド装置の自動駆動装置の動作を示した説明図である。
【図１０】この考案によるブラインド装置の自動駆動装置の動作を示した他の説明図である。
【図１１】この考案によるブラインド装置の自動駆動装置の動作を示した別の説明図である。
【図１２】の考案によるブラインド装置の自動駆動装置における回転軸の挿脱の動作を示した説明図である。
【図１３】の考案によるブラインド装置の自動駆動装置における回転軸の挿脱の動作を示した他の説明図である。
【考案を実施するための形態】
【００２０】
この考案は電源を用いることなく自動的にスラットを駆動することができ、かつ製造コストの低いブラインド装置の自動駆動装置を提供するものであって、連動体と、熱を受けて所定の温度に至ると形状が変化する材質によってなり、該連動体の一端に接続する形状記憶弾性体と、太陽光を集光する材質によってなり、該形状記憶弾性体に対応する位置に設けられる集光体と、該連動体の他端に接続する駆動体と、該駆動体に連動し、かつブランインド装置のジョイントコードに連動するように設ける回転軸と、によって構成する。かかるブラインド装置の自動駆動装置の構造と特徴を説明するために、舞台的な実施例を挙げ、図面を参照にして以下に詳述する。
【実施例】
【００２１】
図３、図４に開示するように、この考案によるブラインド装置の自動駆動装置は、ブランド装置９０に設けるものであって、ブラインド装置９０は、複数のスラット９１と、スラット９１に接続し、かつスラット９１を上下に移動させ、又は角度を變化させて開閉を行う２本のジョイントコード９２とを含んでなる周知の構造を具える。
【００２２】
この考案によるブラインド装置の自動駆動装置は、図１、２に開示するように、連動体１０と、形状記憶効果を有する材質によってなる形状記憶弾性体２０と、集光体３０と、駆動体４０と、回転軸５０とを含む。
【００２３】
連動体１０は、実施例においては連結桿であって、支持フレーム１１に擺動自在に軸支される。支持フレーム１１は固定部材１２に接続し、固定部材１２は建物の窓枠に設けたガラス板８０に、例えば両面テープなどで貼着する。
【００２４】
また、連動体１０の一端には形状記憶弾性体２０一端を接続する。即ち、形状記憶弾性体２０の一端にフック部２１を設け、フック部２１が連動体２０の一端に掛止する。また、形状記憶弾性体２０は例えば形状記憶合金などの材質によってなり、熱を受けて所定の温度に至ると形状が変化するばねである。
【００２５】
集光体３０は、太陽光を効率よく集光する材質によってなり、窓枠に設けたガラス板８０上で、かつ形状記憶弾性体２０に対応する位置に設ける。
【００２６】
駆動体４０は、可撓性を有するラックであって、図２、図５に開示するようにＵ字を上下反転させた形状を呈するように設け、一端は可紐状体４１を介して連動体１０の他端に連接し、他端には錘体４２を設けてなり、錘体４２の重力の作用を以って駆動体４０を上下に移動させる力の補助とする。
【００２７】
図６、図７に開示するように、回転軸５０は、駆動体４０に連動し、かつブランインド装置９０のジョイントコード９２に連動するように設ける。また、回転軸５０は一端に突縁状部５２を一体に形成し、他端には外周面に複数の歯条が形成された挿入部５３を一体に形成する。さらに、駆動体４０に歯合する歯合盤５１を駆動体４０に設け、回転軸５０の挿入部５３を歯合盤５１に挿脱自在に挿設する。係る構造によって、回転軸５０と駆動盤５１とは互いに連結するとともに、互いに離れて連結を解除することができ、ジョイントコード９２を自動的に駆動する動作を行うか否か、制御することができる。
【００２８】
別途、図３、４に開示するようにブランド装置９０上には回転軸５０を支持する固定座６０を設けてもよい。
【００２９】
図８から図１１に開示するように、太陽光が建物の窓枠に設けたガラス板８０を照射すると、集光体３０が太陽光を集光して形状記憶弾性体２０に照射し、形状記憶弾性体２０が熱せられる。形状記憶弾性体２０の温度が所定の数値まで上昇すると、形状記憶弾性体２０は上方に伸長して形状が変化する。この場合、連動体１０の紐状体４１を接続した一端が下方に移動して駆動体４０を下方に引っ張り、同時に回転軸５０が連動して回転してブラインド装置９０のジョイントコード９２を上下に引っ張る。このためスラット９１の角度が自動的に変化し、スラット９１が閉じた状態を呈する。この場合、太陽光の室内への照射を遮り、断熱の効果が得られる。したがって、室内の温度が自動的に調整されることから、室内の温度低下に繋がる。しかも、電力を必要せず、自動的に室内の温度調整を行うことができ、環境保全の理念にもかなっている。さらには、構造が簡易であることから製造コストの低減を達成することができる。
【００３０】
また、太陽光の照射が弱くなり、形状記憶弾性体２０の温度が下がると、形状記憶弾性体２０が本来の形状に復帰する。このため、ブラインド装置９０のスラット９１が自動的に開放される。
【００３１】
図１２、図１３に開示するように、回転軸５０を突縁状部５２が固定座から離れる方向に移動させると、回転軸５０の挿入部５３が駆動盤５１から離脱する。よって、回転軸５０はブラインド装置９０ジョイントコード９２を駆動しなくなる。この状態においては、従来のブラインド装置の如く、手動でジョイントコード９２を操作することができる。よって、この考案は、従来のブラインド装置の構造を変更することなく、応用できるという特徴を具え、好ましい実用を有する。
【符号の説明】
【００３２】
１０          連動体
１１          支持フレーム
１２          固定部材
２０          形状記憶弾性体
２１          フック部
３０          集光体
４０          駆動体
４１          紐状体
４２          錘体
５０          回転軸
５１          歯合盤
５２          突縁状部
５３          挿入部
６０          固定座
８０          ガラス板
９０          ブラインド装置
９１          スラット
９２          ジョイントコード
【図１】
0003193275.tif 000003
【図２】
0003193275.tif 000004
【図３】
0003193275.tif 000005
【図４】
0003193275.tif 000006
【図５】
0003193275.tif 000007
【図６】
0003193275.tif 000008
【図７】
0003193275.tif 000009
【図８】
0003193275.tif 000010
【図９】
0003193275.tif 000011
【図１０】
0003193275.tif 000012
【図１１】
0003193275.tif 000013
【図１２】
0003193275.tif 000014
【図１３】
0003193275.tif 000015